(57)【要約】【課題】ダミーの永久磁石によっても、検知動作を不能にすることが困難な、安全面で優れた磁気近接センサを提供する。【解決手段】磁気近接センサは、マグネットブロックＭと、リードスイッチを内蔵させたセンサブロックＳとを組み合わせて構成され、センサブロックＳには、複数のリードスイッチＳ１、Ｓ２と、いずれかの１以上のリードスイッチＳ１、Ｓ２が開または閉じたときに、動作検知信号を出力させる検知回路とを備えた構成になっている。【選択図】図１
2005174667.tif 000002
【特許請求の範囲】
【請求項１】
マグネットブロックと、リードスイッチを内蔵させたセンサブロックとを組み合わせて構成され、マグネットブロックとセンサブロックとの接離動作に応じて、リードスイッチを開閉させて、検知信号を出力するようにした磁気近接センサにおいて、
上記センサブロックには、複数のリードスイッチと、これらのリードスイッチのうちで、いずれか１以上のリードスイッチが開または閉じたときに動作検知信号を出力する検知回路とを内蔵していることを特徴とする磁気近接センサ。
【請求項２】
請求項１において、
上記センサブロックには、互いに方向を異ならせた複数のリードスイッチが内蔵されており、
上記マグネットブロックは、上記リードスイッチに対応させた永久磁石を内蔵させた複数の構造体として構成され、それぞれの構造体を、リードスイッチに対向させて配設する構成にしている磁気近接センサ。
【請求項３】
請求項１において、
上記センサブロックには、互いに方向を異ならせた複数のリードスイッチが内蔵されており、
上記マグネットブロックは、上記リードスイッチに対応させて対向させた複数の永久磁石を一体的に内蔵した構造体にしている、磁気近接センサ。
【発明の詳細な説明】
【技術分野】
【０００１】
本発明は、リードスイッチを利用した磁気近接センサに関する。
【背景技術】
【０００２】
近年、住宅等の建築物においては、窓や出入り口などの戸や、扉などに永久磁石を内蔵したマグネットブロックと、リードスイッチを内蔵させたセンサブロックとを対にして取り付けて、戸や扉の開閉動作に合わせて、リードスイッチを開閉させて動作検知信号を出力させ、警報を報知する形式の防犯センサが広く採用されている。
この種の防犯センサは、永久磁石とリードスイッチから構成される磁気近接センサを利用したものであり、警報装置に無線または有線で接続することにより、警報出力をさせるようにしたものである。
次に示す特許文献１には、防犯用として使用される、この種の磁気近接センサ技術が記載されている。
【特許文献１】特開平１０−１２１０９号公報
【発明の開示】
【発明が解決しようとする課題】
【０００３】
ところで、上記従来の防犯センサは、永久磁石が窓に取り付けられているため、外側から取り付け位置が視認でき、また、視認できない位置にあっても、一般的な取り付け位置が知られていることが多い。
したがって、このような事実を知った悪意のある者が、リードスイッチによる検知動作を不能にするために、磁石を準備して（以下では、ダミー磁石という）、戸や窓を開けて侵入する可能性は否定できない。
本発明は、このような事情を考慮して提案されており、その目的は、ダミー磁石を使用しても、リードスイッチを不感状態にすることが困難な、安全面でより優れた磁気近接センサを提供することにある。
【課題を解決するための手段】
【０００４】
上記目的を達成するために、請求項１に記載の磁気近接センサは、マグネットブロックと、リードスイッチを内蔵させたセンサブロックとを組み合わせて構成され、センサブロックには、複数のリードスイッチと、複数のリードスイッチのうちのいずれか１以上のものが開くか、閉じる動作をなしたときに動作検知信号を出力させる検知回路を備えた構成にしている。
ここに、複数のリードスイッチと検知回路とは、常閉型のリードスイッチを使用する場合には、それらのリードスイッチは直列に接続され、そのうちの少なくとも１つ以上のものが開動作した場合には検知信号を出力し、常開型のリードスイッチを使用したものでは、並列に接続され、そのうちの少なくとも１つ以上のものが閉動作した場合には、検知信号を出力する構成にすることが出来る。
請求項２では、請求項１において、センサブロックには、互いに方向を異ならせた複数のリードスイッチが内蔵されており、マグネットブロックは、リードスイッチに対応させた永久磁石を内蔵させた複数の構造体として構成され、それぞれの構造体を、リードスイッチに対向させて配設する構成にしている。
請求項３では、請求項１において、センサブロックには、互いに方向を異ならせた複数のリードスイッチが内蔵されており、マグネットブロックは、リードスイッチに対応させて対向させた複数の永久磁石を一体的に内蔵した構造体にしている。
【発明の効果】
【０００５】
請求項１に記載の磁気近接センサは、永久磁石を有するマグネットブロックと、複数のリードスイッチと、その検知回路を内蔵しているセンサブロックとを組み合わせて構成されているので、検知回路は、複数のリードスイッチが、それぞれに対応しているマグネットブロックから磁力を受けている位置関係にあるときには、動作検知信号を出力しないが、そうでないときには、動作検知信号を出力する。
そのため、ダミーの磁石によって、一部のリードスイッチの動作を不感状態にしても、動作検知信号の出力を禁止させることができない。
請求項２、３では、複数のリードスイッチの磁束検知方向が異なるため、１つの磁石を用いてリードスイッチのすべてを不感状態に保持させることが一層困難な構成になっており、特に請求項２はマグネットブロックが個々の永久磁石を内蔵した個別の構造体によって構成されているので、ダミーの磁石によって、すべてのリードスイッチに磁力を作用させることができない構成にでき、優れた防犯効果を奏することとなる。
また請求項３では、マグネットブロックが複数の永久磁石を含んだ一体的な構造体であるため、外部からは磁石の数や位置、方向が判明できず、部品点数も少なく取付け作業も容易である。
【発明を実施するための最良の形態】
【０００６】
以下に、本発明を実施するための最良の形態について添付図面とともに説明する。
【実施例１】
【０００７】
図１（ａ），（ｂ）は、本発明の近接磁気センサの基本構成と動作を示した図である。
ここでは、センサブロックＳは２つのリードスイッチＳ１、Ｓ２を直列接続した例を示している。
センサブロックＳは、それぞれに接点を設けた、２本の強磁性体で構成されたリードスイッチＳ１、Ｓ２を内蔵している。このようなリードスイッチＳ１，Ｓ２は、公知のものが採用でき、その構造については、図１Ａで後述する。
本発明の磁気近接センサによれば、センサブロックＳとマグネットブロックＭを２つの部材１０６，１０７のそれぞれに対向させて取り付けておくと、図１（ａ）に示したように、両者を接近させておくと、両リードスイッチＳ１、Ｓ２は、マグネットブロックＭの永久磁石Ｍ１、Ｍ２によって磁力を受けるので、２本のリード電極の接点がＮ、Ｓ極に磁化され、互いに引き合って接触することで接点を閉じる一方、（ｂ）に示すように、マグネットブロックＭをセンサブロックＳから遠ざけると、リードスイッチＳ１，Ｓ２は磁化が解消されて接点を開く。
センサブロックＳの検知回路Ａは、この原理を利用して、リードスイッチＳ１、Ｓ２の接点の開閉動作に応じて、動作検知信号を出力させる構成となっている。
【０００８】
図１の例では、リードスイッチＳ１、Ｓ２は直列接続されているので、それぞれの接点を閉状態に保持した状態では動作検知信号を出力せず、リードスイッチＳ１，Ｓ２の少なくとも一方が接点を開いたときには、動作検知信号を出力する構成にしているが、リードスイッチＳ１，Ｓ２を並列接続した構成では、それぞれの接点が開状態に保持した状態では動作検知信号を出力せず、リードスイッチＳ１，Ｓ２の少なくとも一方が接点を閉じたときには、動作検知信号を出力する構成にしてもよい（以上、後述する図３、図４の動作参照）。
図１Ａには、センサブロックＳに内蔵されているリードスイッチの基本構造を示している。
リードスイッチＳ１，Ｓ２は、いずれもリード電極１０２、１０２に接点を設けた、一対の強磁性体のリード線１０１、１０１を、ガス１０５を封入したガラス管１０３で覆った構造になっており、リード線１０１、１０１に外部磁界が作用すると、双方のリード線１０１，１０１のリード電極１０２，１０２は磁化され、互いに吸着されて接点を閉じるが、リード線１０１，１０１から外部磁界がなくなると、リード電極１０２，１０２の磁化が解消され、接点を開く構造になっている。
【０００９】
図２は、本発明の磁気近接センサのダミーの磁石に対する動作説明図、図３、図４は本発明の磁気近接センサのセンサブロックに内蔵されるリードスイッチと、検知回路との構成を示している。図３は、リードスイッチＳ１，Ｓ２を直列接続した態様、図４は、リードスイッチＳ１，Ｓ２を並列接続した態様を示している。
本発明の磁気近接センサは、図５に示すように、マグネットブロックＭを開閉扉Ｗ２に、センサブロックＳを扉枠Ｗ１に取り付けたり、図８に示したように、マグネットブロックＭを窓サッシ２００に、センサブロックＳを窓枠２０１に取り付けたりして使用される。
【００１０】
以上のように構成された磁気近接センサにあっては、特に、図３に示したようなリードスイッチと、検知回路とをセンサブロックに内蔵させた構造のものでは、マグネットブロックＭが取り付けられた窓が閉じている場合は、２対の磁石Ｍ１，Ｍ２とリードスイッチＳ１，Ｓ２は近接しているので、リードスイッチＳ１、Ｓ２の接点はともに閉じているが、窓を開けると、２対の磁石Ｍ１，Ｍ２とリードスイッチＳ１，Ｓ２とは離れるので、接点はともに開放し、そのときに磁気近接センサＳが動作検知信号を発信する。
従って、ダミー磁石ｍをサッシや窓ガラス越しに、外側からセンサブロックＳに近づけても、そのダミー磁石ｍに近い側のリードスイッチＳ１は接点を閉状態に保持するが、他方のリードスイッチＳ２には、磁力が作用しない。したがって、窓を開けると、マグネットブロックＭの対応させた永久磁石が他方のリードスイッチＳ２から離れてしまうので、リードスイッチＳ２の接点は開状態となり、検知回路Ａは動作検知信号を出力し、この動作検知信号を受けた受信器では、警報が出力される。
すなわち、このような磁気近接センサの構成によれば、悪意のある者が、自ら有するダミー磁石ｍを用いてリードスイッチＳ１，Ｓ２を閉状態に保持させようとしても、ダミー磁石ｍによる磁力がすべてのリードスイッチＳ１，Ｓ２には作用せず、その結果、磁気近接センサのセンサブロックＳからの動作検知信号の出力を禁止することが出来ないため、容易に、警報動作を停止させることができない。
【００１１】
図６（ａ），（ｂ）は、本発明の近接磁気センサの他例におけるセンサブロックとマグネットブロックとの位置関係を示す図である。
ここに図６（ａ）は、１つのセンサブロックＳと、２つのマグネットブロックＭＡ、ＭＢとで構成されたもので、センサブロックＳに内蔵させた２つのリードスイッチＳ１、Ｓ２の間には、磁性体バッファ層ＢＦを設けてあり、対応するマグネットブロックＭＡ、ＭＢに内蔵された永久磁石Ｍ１、Ｍ２による磁力が、他方のリードスイッチＳ２，Ｓ１に漏れて、それぞれの接点を同時に開閉させない構成にしている。ここに、磁性体バッファ層ＢＦは、リードスイッチＳ１が永久磁石Ｍ１によって磁力を受けたときに、リードスイッチＳ１とともに、並列した磁束回路を構成するため、磁気抵抗の小さい素材で形成することが望ましいが、このようなバッファ層に代えて、リードスイッチＳ１，Ｓ２の両端などに強磁性体（不図示）を付加させて、永久磁石Ｍ１，Ｍ２による磁力線をリードスイッチＳ１，Ｓ２を通過させやすい構造にしてもよい。
このような磁性体バッファ層ＢＦや、リードスイッチＳ１，Ｓ２に付加される強磁性体は、一方のリードスイッチＳ１、Ｓ２が対応するマグネットブロックＭＡ，ＭＢに内蔵された永久磁石Ｍ１，Ｍ２からのみの磁力を通過させる構造体であることが望まれ、そのような作用があれば、それ以外の代替手段を適宜採用可能なことは言うまでもない。
図６（ｂ）は、リードスイッチＳ１、Ｓ２の方向が異なるため、磁性体バッファ層ＢＦを設けていないが、対応するマグネットブロックＭＡ、ＭＢに内蔵された永久磁石Ｍ１、Ｍ２による磁力が、他方のリードスイッチＳ２，Ｓ１に漏れて、接点が同時に開閉するおそれがある場合などには設けることが望ましい。
【００１２】
図７は、本発明の近接磁気センサの他例におけるセンサブロックとマグネットブロックとの位置関係を示す図である。
この例では、１つのセンサブロックＳに、１つのマグネットブロックＭ´を組み合わせて構成されているが、マグネットブロックＭ´には、複数の永久磁石Ｍ１、Ｍ２を一体的に内蔵させている。
【００１３】
図８は、（ａ），（ｂ）は、図７に示した近接磁気センサを防犯センサとして使用した例を説明する図である。
ここでは、スライド式の窓サッシ２００と窓枠２０１に取り付けた例を示している。一体的に形成されたマグネットブロックＭ´は、複数の永久磁石Ｍ１、Ｍ２を空間を介して互いに対向配置させるために、断面がコ字形に形成されて、窓サッシ２００の室内側面に取り付けられており、他方のセンサブロックＳは、マグネットブロックＭ´の空間に応じて収容される寸法に形成され、窓枠２０１に取り付けられている。
このような構造のものでは、窓が閉まっている状態では、センサブロックＳは、マグネットブロックＭ´によって囲まれ、窓を開くと、マグネットブロックＭ´は、センサブロックＳから離れるので、２つのリードスイッチＳ１、Ｓ２の接点が開き、警報が出力される。
以上のように、複数のリードスイッチＳ１、Ｓ２の取り付け態様は各種あるが、いずれの場合も、窓の外側からは、ダミーの磁石では、複数のリードスイッチを同時に不感状態に保持することができず、特に、少なくとも１つのリードスイッチＳ１（Ｓ２）をセンサブロック本体Ｓの底面や室内面に取り付けたり、方向を変えたりすれば、外部からのダミー磁石による不感操作がほとんど不可能となり、いちだんと優れた防犯効果を得ることができる。
【００１４】
図９は、本発明の磁気近接センサで使用されるマグネットブロックＭの各種変形態様を示している。
（ａ）はセンサブロックＳの同一面にリードスイッチＳ１、Ｓ２を取り付けたものに対応した態様で、永久磁石Ｍ１，Ｍ２の軸線を同一方向に配設したもの（ａ−１）、永久磁石Ｍ１，Ｍ２の軸線を直交する方向に配設したもの（ａ−２）の２例を示している。また、（ａ−３）は窓に貼着して使用する場合に、外側面に「防犯警戒中」などの文字を記したものである。
このようなマグネットブロックＭでは、内蔵した永久磁石を隠蔽する効果もあり、永久磁石の数や位置、方向が外面からは判断ができないようにする効果もあるが、ダミー磁石による不感動作を一層困難にする構造的特徴のあるものが望まれる。
また図９（ｂ）には、センサブロックＳの側面と底面に、リードスイッチＳ１、Ｓ２を取り付けたものに使用されるマグネットブロックＭの例を示しており、（ｂ−１）は、永久磁石Ｍ１，Ｍ２の軸線を直交する方向に配設したもの、（ｂ−２）は永久磁石Ｍ１，Ｍ２の軸線を同じ方向に配設したものを示している。マグネットブロックＭに内蔵される方向の異なる複数の永久磁石は、必ずしも直交するものには限定されないことは言うまでもない。
【００１５】
図１０、図１１は、本発明の磁気近接センサを、防犯センサとして使用した例を示している。図１０は、ワイヤレス防犯センサＳＡとしての使用例を示しており、防犯センサＳＡのセンサブロックＳにはワイヤレス送信部１０が付加接続されており、前述した検知回路が動作検知信号を出力すれば、ワイヤレス防犯受信器２０は警報、あるいは報知を出力する。なお、ワイヤレス送信部１０をセンサブロックＳに内蔵した構成にしてもよい。
また、図１１は、有線式防犯センサＳＢとしての使用例を示した図である。複数のセンサブロックＳ・・・を信号線Ｌを通じて有線接続して監視ループを形成しており、いずれかのセンサブロックＳが動作検知信号を出力すれば、信号線Ｌに接続された防犯受信器３０は警報、あるいは報知を出力する。
【図面の簡単な説明】
【００１６】
【図１】（ａ），（ｂ）は、本発明の磁気近接センサの基本構成と動作説明図である。
【図１Ａ】センサブロックに内蔵されているリードスイッチの基本構造を示す図である。
【図２】ダミーの磁石を使用した場合のセンサブロックの動作説明図である。
【図３】（ａ），（ｂ）は、検知回路の一例と、その動作を説明する図である。
【図４】（ａ），（ｂ）は、検知回路の他例と、その動作を説明する図である。
【図５】本発明の磁気近接センサを防犯センサとして使用する例を示す図である。
【図６】（ａ），（ｂ）は、本発明の磁気近接センサの他例におけるセンサブロックとマグネットブロックとの位置関係を示す図である。
【図７】本発明の磁気近接センサの更に他例におけるセンサブロックとマグネットブロックとの位置関係を示す図である。
【図８】（ａ），（ｂ）は、図７に示した磁気近接センサを防犯センサとして使用した例と動作を説明する図である。
【図９】（ａ），（ｂ）は、マグネットブロックの種々の変形態様を示す図である。
【図１０】磁気近接センサをワイヤレス防犯センサとして使用した例を示す図である。
【図１１】磁気近接センサを有線式防犯センサとして使用した例を示す図である。
【符号の説明】
【００１７】
Ｓ      センサブロック
Ｓ１、Ｓ２      リードスイッチ
Ｍ、ＭＡ、ＭＢ、Ｍ´      マグネットブロック
Ｍ１、Ｍ２      永久磁石
Ａ      検知回路
ｍ      ダミー磁石
ＳＡ      ワイヤレス防犯センサ
ＳＢ      有線式防犯センサ
【図１】
2005174667.tif 000003
【図１Ａ】
2005174667.tif 000004
【図２】
2005174667.tif 000005
【図３】
2005174667.tif 000006
【図４】
2005174667.tif 000007
【図５】
2005174667.tif 000008
【図６】
2005174667.tif 000009
【図７】
2005174667.tif 000010
【図８】
2005174667.tif 000011
【図９】
2005174667.tif 000012
【図１０】
2005174667.tif 000013
【図１１】
2005174667.tif 000014